(57)【要約】      （修正有）【課題】光ディスクの情報を再生中にユーザの携帯電話機に電話がかかってきた時に、リモコン等によるミュート操作や、通話終了時のミュート解除を不要とする。【解決手段】受信された携帯電話の電波はＲＦモジュール６で復調され、復調された復調信号に含まれる携帯電話番号がフラッシュＲＯＭ９に予め設定された設定番号と同じであると判定され、受信した電波が所定時間受信したと判定され、更に再生状態であると判定されたときに、音声ミュート回路１６がミュート動作し、出力音声のミュートが実行される。ミュートが実行された後、携帯電話番号を含む電波の受信が無くなったことを検出したとき、または再生状態で無くなったときに、音声ミュート回路のミュート動作が停止され、ミュートが解除される。【選択図】図１
2009048721.tif 000002
【特許請求の範囲】
【請求項１】
光ディスクに記録された情報の再生を行う光ディスク装置において、
携帯電話の電波を受信して復調する携帯電波復調手段と、
前記受信して復調された復調信号に含まれる携帯電話番号がメモリに予め設定された設定番号と同じであるか否かを判定する番号判定手段と、
前記両番号が同じであると判定されたとき、前記受信した電波が所定時間受信したか否かを判定する受信時間判定手段と、
前記受信した電波が所定時間受信したと判定されたとき、装置が再生状態であるか否かを判定する再生状態判定手段と、
前記再生状態であると判定されたとき、音声ミュート回路をミュート動作させ、出力音声のミュートを実行するミュート実行手段と、
前記ミュートが実行された後、当該携帯電話番号を含む電波の受信が無くなったことを検出したとき、または前記再生状態で無くなったときに、前記音声ミュート回路のミュート動作を停止させ、前記ミュートを解除するミュート解除手段と、を備えたことを特徴とする光ディスク装置。
【請求項２】
光ディスクに対して情報の記録／再生を行う光ディスク装置において、
携帯電話の電波を受信して復調する携帯電波復調手段と、
前記受信して復調された復調信号に含まれる携帯電話番号がメモリに予め設定された設定番号と同じであるか否かを判定する番号判定手段と、
前記両番号が同じであると判定されたとき、前記受信した電波が所定時間受信したか否かを判定する受信時間判定手段と、
前記受信した電波が所定時間受信したと判定されたとき、装置が再生モードであるか否かを判定する再生モード判定手段と、
前記再生モードであると判定されたとき、再生を一時停止させる一時停止手段と、
前記再生が一時停止された後、当該携帯電話番号を含む電波の受信が無くなったことを検出したときに、再生を開始させる再生開始手段と、を備えたことを特徴とする光ディスク装置。
【請求項３】
前記再生状態であるか否かの判定は、光ディスクを回転させるスピンドルモータの回転を検出する回転センサからの回転信号が有るか否かにより行うことを特徴とする請求項１に記載の光ディスク装置。
【請求項４】
前記再生状態であるか否かの判定は、再生モードであるか否かにより行うことを特徴とする請求項１に記載の光ディスク装置。
【発明の詳細な説明】
【技術分野】
【０００１】
本発明は、光ディスクに記録された情報の再生、または光ディスクに対して情報の記録／再生を行う光ディスク装置に関する。
【背景技術】
【０００２】
一般に、ＤＶＤプレイヤやＤＶＤレコーダあるいはＢＤレコーダなどの光ディスク装置をテレビジョン受像機に接続し、光ディスク装置を再生動作させ、ＤＶＤ（デジタル・バーサタイル・ディスク）やＢＤ（ブルーレイ・ディスク）などの光ディスクに記録されているテレビ番組や映画などを再生させて、ユーザが視聴しているときに、ユーザの携帯電話機に電話がかかってくると、通話の妨げになるため、ユーザがリモコンなどを操作して、テレビジョン受像機の音量をミュートしたり、再生を一時停止させたりしている。また、通話が終れば、ミュートを解除したり、一時停止から再生を開始させたりする操作を行っている。
【特許文献１】特開２００６−１８６５８７号公報
【特許文献２】特開２００１−３６６１６号公報
【発明の開示】
【発明が解決しようとする課題】
【０００３】
即ち、従来の光ディスク装置では、ユーザの携帯電話機に電話がかかってきても、自動的に音量をミュートしたり、再生を一時停止させたりすることができないので、音量をミュートしたり、再生を一時停止させたりするのに、リモコンなどを一々操作しなければならず、また、通話が終れば、ミュートを解除したり、一時停止から再生を開始させたりする操作を行わなければならないので、ユーザにとっては操作が煩わしいと言う課題があった。
【０００４】
なお、特許文献１の従来技術では、携帯電話による電波の送受信時に、ノイズ検出部によりノイズを検出し、このノイズの検出時に、ミュート回路制御部によりラジオのミュート回路部を作動させ、これにより、音響機器の音量をＯＦＦするようにしているが、他の機器からのノイズでもミュート動作する可能性があり、ミュート動作に関する精度が劣ると言う課題が生じる。また、この従来技術では、ＤＶＤプレイヤやＤＶＤレコーダなどの光ディスク装置におけるミュート処理や再生一時停止処理については開示されていない。
【０００５】
特許文献２の従来技術では、固定電話とその電話回線との間に固定電話用信号検出器を備え、固定電話用信号検出器からの電波ｆａを受信するリモコン消音信号制御発射装置を備え、リモコン消音信号制御発射装置は携帯電話の通話信号としての上り電波信号ｆｂを検出する携帯電話用信号検出機能を有し、リモコン消音信号制御発射装置は、電波ｆａあるいは電波信号ｆｂを受信すると、リモコン消音機能付きテレビおよびリモコン消音機能付きオーディオ機器に対して、当該機器のリモコンと同一の消音信号を発射するようにしているが、ＤＶＤプレイヤやＤＶＤレコーダなどの光ディスク装置におけるミュート処理や再生一時停止処理については開示されていない。
【０００６】
本発明は、上記のような課題を解決するためになされたもので、光ディスクの情報を再生中にユーザの携帯電話機に電話がかかってきた時に、音声をミュートさせたり、再生を一時停止させたりすることができ、また、通話が終れば、ミュートを解除したり、一時停止から再生を開始させたりすることができる光ディスク装置を提供することを目的とする。
【課題を解決するための手段】
【０００７】
上記目的を達成するために、請求項１の発明は、光ディスクに記録された情報の再生を行う光ディスク装置において、携帯電話の電波を受信して復調する携帯電波復調手段と、前記受信して復調された復調信号に含まれる携帯電話番号がメモリに予め設定された設定番号と同じであるか否かを判定する番号判定手段と、前記両番号が同じであると判定されたとき、前記受信した電波が所定時間受信したか否かを判定する受信時間判定手段と、前記受信した電波が所定時間受信したと判定されたとき、装置が再生状態であるか否かを判定する再生状態判定手段と、前記再生状態であると判定されたとき、音声ミュート回路をミュート動作させ、出力音声のミュートを実行するミュート実行手段と、前記ミュートが実行された後、当該携帯電話番号を含む電波の受信が無くなったことを検出したとき、または前記再生状態で無くなったときに、前記音声ミュート回路のミュート動作を停止させ、前記ミュートを解除するミュート解除手段と、を備えたことを特徴とする光ディスク装置を提供する。
【０００８】
この構成において、受信された携帯電話の電波は復調され、復調された復調信号に含まれる携帯電話番号がメモリに予め設定された設定番号と同じであると判定され、前記受信した電波が所定時間受信したと判定され、更に再生状態であると判定されたときに、音声ミュート回路がミュート動作し、出力音声のミュートが実行される。ミュートが実行された後、当該携帯電話番号を含む電波の受信が無くなったことを検出したとき、または再生状態で無くなったときに、前記音声ミュート回路のミュート動作が停止され、ミュートが解除される。
【０００９】
この構成によれば、光ディスクの情報を再生中にユーザの携帯電話機に電話がかかってきた時に、音声をミュートさせることが自動的に行われるので、ユーザの携帯電話機に電話がかかってきたときのリモコンなどによるミュート操作を行う必要がなくなり、また、通話が終れば、ミュートを解除させることも自動的に行うことができ、ユーザにとっては便利になる。
【００１０】
請求項２の発明は、光ディスクに対して情報の記録／再生を行う光ディスク装置において、携帯電話の電波を受信して復調する携帯電波復調手段と、前記受信して復調された復調信号に含まれる携帯電話番号がメモリに予め設定された設定番号と同じであるか否かを判定する番号判定手段と、前記両番号が同じであると判定されたとき、前記受信した電波が所定時間受信したか否かを判定する受信時間判定手段と、前記受信した電波が所定時間受信したと判定されたとき、装置が再生モードであるか否かを判定する再生モード判定手段と、前記再生モードであると判定されたとき、再生を一時停止させる一時停止手段と、前記再生が一時停止された後、当該携帯電話番号を含む電波の受信が無くなったことを検出したときに、再生を開始させる再生開始手段と、を備えたことを特徴とする光ディスク装置を提供する。
【００１１】
この構成において、受信された携帯電話の電波は復調され、復調された復調信号に含まれる携帯電話番号がメモリに予め設定された設定番号と同じであると判定され、前記受信した電波が所定時間受信したと判定され、更に再生モードであると判定されたとき、再生が一時停止される。再生が一時停止された後、当該携帯電話番号を含む電波の受信が無くなったことを検出したときに、再生が開始される。
【００１２】
この構成によれば、光ディスクの情報を再生中にユーザの携帯電話機に電話がかかってきた時に、再生を一時停止させることが自動的に行われるので、ユーザの携帯電話機に電話がかかってきたときのリモコンなどによる一時停止操作を行う必要がなくなり、また、通話が終れば、一時停止から再生を開始させることも自動的に行うことができ、ユーザにとっては便利になる。
【００１３】
請求項３の発明では、請求項１の発明において、前記再生状態であるか否かの判定は、光ディスクを回転させるスピンドルモータの回転を検出する回転センサからの回転信号が有るか否かにより行うので、回転信号が有ることが検出されれば、当該装置は再生状態にあることが分かる。
【００１４】
請求項４の発明では、請求項１の発明において、前記再生状態であるか否かの判定は、再生モードであるか否かにより行うので、当該装置のモードが再生モードであれば、当該装置は再生状態であることが分かる。
【発明の効果】
【００１５】
以上のように本発明によれば、光ディスクの情報を再生中にユーザの携帯電話機に電話がかかってきた時に、音声をミュートさせることが自動的に行われるので、ユーザの携帯電話機に電話がかかってきたときのリモコンなどによるミュート操作を行う必要がなくなり、また、通話が終れば、自動的にミュートを解除することができ、ユーザにとっては便利になる。
【００１６】
また、本発明によれば、光ディスクの情報を再生中にユーザの携帯電話機に電話がかかってきた時に、再生を一時停止させることが自動的に行われるので、ユーザの携帯電話機に電話がかかってきたときのリモコンなどによる一時停止操作を行う必要がなくなり、また、通話が終れば、一時停止から再生を開始させることも自動的に行うことができ、ユーザにとっては便利になる。
【発明を実施するための最良の形態】
【００１７】
以下、添付図面を参照しつつ、本発明の実施の形態について説明する。図１は本発明の第１の実施形態に係る光ディスク装置としての光ディスク再生装置の構成を示すブロック図である。
【００１８】
図１において、この光ディスク再生装置Ａは、ＢＤ、ＤＶＤ、ＣＤなどの光ディスク１を回転させるスピンドルモータ２と、このスピンドルモータ２を駆動させる駆動部３と、光ディスク１に記録された情報を再生する再生部４と、装置全体を制御するマイクロコンピュータ７と、再生部４から出力されたＬｃｈ（左側チャンネル）音声信号を増幅する増幅器１２と、この増幅器１２から出力されたＬｃｈ音声信号をテレビジョン受像機Ｔに伝達するカップリングコンデンサ１３と、再生部４から出力されたＲｃｈ（右側チャンネル）音声信号を増幅する増幅器１４と、この増幅器１４から出力されたＲｃｈ音声信号をテレビジョン受像機Ｔに伝達するカップリングコンデンサ１５とを備えている。
【００１９】
また、この光ディスク再生装置Ａは、携帯電話局からの携帯電波（携帯電話機へ送信された電波）をアンテナ５を介して受信して復調する携帯電波復調手段としてのＲＦモジュール６と、音声出力をミュートするミュート回路１６とを備えている。ミュート回路１６は、ミュート信号を入力したときにカップリングコンデンサ１３から出力されたＬｃｈ音声信号をミュートするＦＥＴ（電解効果トランジスタ）１８と、ミュート信号を入力したときにカップリングコンデンサ１５から出力されたＲｃｈ音声信号をミュートするＦＥＴ（電解効果トランジスタ）１７とを備えている。
【００２０】
マイクロコンピュータ７は、再生部４を制御するための制御信号を出力したり再生部４の動作状態を示す状態信号を入力したりすると共に、駆動部３を制御するための制御信号を出力したり駆動部３の動作状態を示す状態信号を入力したりし、更に、ＲＦモジュール６からの復調信号を入力するＩ／Ｏポート８と、装置全体を制御するためのプログラムやデータが記憶されたフラッシュＲＯＭ９と、Ｉ／Ｏポート８からの信号を入力したりＩ／Ｏポート８に信号を出力したりすると共に、フラッシュＲＯＭ９に記憶されたプログラムやデータに従って演算や処理を行うＣＰＵ１０と、このＣＰＵ１０の動作に必要なデータを一時的に格納するＲＡＭ１１とを備えている。
【００２１】
ＣＰＵ１０は、受信して復調された復調信号に含まれる携帯電話番号がフラッシュＲＯＭ９に予め設定された設定番号と同じであるか否かを判定する番号判定手段と、前記両番号が同じであると判定されたとき、前記受信した電波が所定時間受信したか否かを判定する受信時間判定手段と、前記受信した電波が所定時間受信したと判定されたとき、装置が再生状態であるか否かを判定する再生状態判定手段と、前記再生状態であると判定されたとき、音声ミュート回路１６をミュート動作させ、出力音声のミュートを実行するミュート実行手段と、前記ミュートが実行された後、当該携帯電話番号を含む電波の受信が無くなったことを検出したとき、または前記再生状態で無くなったときに、音声ミュート回路１６のミュート動作を停止させ前記ミュートを解除するミュート解除手段との機能を有する。要するに、マイクロコンピュータ７は、光ディスク１の情報の再生中に、所定時間、前記設定番号への電話の着信および通話が行われたときに、自動的に音声出力をミュートさせ、また、通話が終れば、自動的にミュートを解除させ、音声出力を元に戻すようにしている。
【００２２】
テレビジョン受像機Ｔは、光ディスク再生装置Ａのカップリングコンデンサ１３から出力されたＬｃｈ音声信号を入力して電力増幅するＬｃｈ音声出力回路１９と、このＬｃｈ音声出力回路１９から出力されたＬｃｈ音声信号を入力して音声化するＬｃｈスピーカ２０と、光ディスク再生装置Ａのカップリングコンデンサ１５から出力されたＲｃｈ音声信号を入力して電力増幅するＲｃｈ音声出力回路２１と、このＲｃｈ音声出力回路２１から出力されたＲｃｈ音声信号を入力して音声化するＲｃｈスピーカ２２と、光ディスク再生装置Ａの再生部４から出力された映像信号を入力して表示用の映像信号に変換して出力する映像出力回路２３と、この映像出力回路２３から出力された映像信号を入力して映像を表示させるディスプレイ装置２４とを備えている。
【００２３】
図２は第１の実施形態の光ディスク再生装置において携帯電話局からの電波を受信したときの動作を説明するためのフローチャートである。このフローチャートを参照して第１の実施形態の光ディスク再生装置において携帯電話局からの電波を受信したときの動作について説明する。
【００２４】
光ディスク再生装置Ａにおいて、ＲＦモジュール６は、アンテナ５を介して携帯電話局からの電波（携帯電波）を受信すると（ステップＡ１）、この携帯電波の高周波信号を復調し、この復調信号をマイクロコンピュータ７へ送る。マイクロコンピュータ７では、ＣＰＵ１０は、ＲＦモジュール６からの復調信号をＩ／Ｏポート８を介して入力し、番号判定手段によって、復調信号に含まれる携帯電話番号を解析し、この携帯電話番号がフラッシュＲＯＭ９に予め設定された設定番号と同じであるか否かを判定する（ステップＡ２）。
【００２５】
なお、前記設定番号とは、ユーザが所有の携帯電話機の電話番号であり、リモコンの操作により、テレビジョン受像機Ｔのディスプレイ装置２４にセットメニュー画面を表示させ、このセットアップメニュー画面の中から電話番号の登録メニューを選択し、この登録メニューに電話番号を入力することにより、フラッシュＲＯＭ９に記憶されたものである。
【００２６】
前記両番号が同じであると判定されたとき、ＣＰＵ１０の受信時間判定手段は、前記受信した電波が所定時間（例えば５秒）受信したか否かを判定する（ステップＡ３）。この判定は、ユーザの携帯電話機にかかって来た電話が悪戯（例えば、ワン切りなど）であるかを区別するために行われる。
【００２７】
前記受信した電波が所定時間（例えば５秒）受信したと判定されたとき、ＣＰＵ１０の再生状態判定手段は、装置が再生状態であるか否かを判定する。即ち、再生状態判定手段は、光ディスク１を回転させるスピンドルモータ２の回転を検出する回転センサ２ａからの回転信号（ＦＧ信号）が有るか否かを判定する（ステップＡ４）。前記回転信号は、スピンドルモータ２（光ディスク１）が１回転につき発生する何個かのパルス信号である。なお、再生状態であるか否かの判定は、ＣＰＵ１０による光ディスク再生装置Ａが再生モードであるか否かを検出することによっても可能である。
【００２８】
前記再生状態であると判定されたとき、ＣＰＵ１０のミュート実行手段は、Ｉ／Ｏポート８を介して、音声ミュート回路１６のＦＥＴ１８，１７のゲートにミュート信号（ハイレベル信号）を供給し、これにより、ＦＥＴ１８，１７をオンさせ、カップリングコンデンサ１３，１５から出力される音声信号を接地に流して、テレビジョン受像機Ｔのスピーカ２０，２２から出力される音声をミュートする（ステップＡ５）。
【００２９】
前記ミュートが実行された後、ＣＰＵ１０のミュート解除手段は、当該携帯電話番号を含む電波の受信が無くなったことを検出したとき（ステップＡ６）、または前記回転信号が無くなったことを検出したときに（ステップＡ７）、Ｉ／Ｏポート８を介して、音声ミュート回路１６のＦＥＴ１８，１７のゲートにミュート解除信号（ロウレベル信号）を供給し、これにより、ＦＥＴ１８，１７をオフさせ、カップリングコンデンサ１３，１５から出力される音声信号をテレビジョン受像機Ｔに送ってスピーカ２０，２２から出力される音声のミュートを解除する（ステップＡ８）。
【００３０】
以上説明した第１の実施形態によれば、光ディスクの情報を再生中にユーザの携帯電話機に電話がかかってきた時に、音声をミュートさせることが自動的に行われるので、ユーザの携帯電話機に電話がかかってきたときのリモコンなどによるミュート操作を行う必要がなくなり、また、通話が終れば、自動的にミュートを解除することができ、ユーザにとっては便利になる。
【００３１】
図３は本発明の第２の実施形態に係る光ディスク装置としての光ディスク記録再生装置の構成を示すブロック図である。図３において、図１に示す構成要素に対応するものには同一の符号を付す。
【００３２】
図３において、この光ディスク記録再生装置Ｂは、ＢＤ、ＤＶＤ、ＣＤなどの光ディスク１を回転させるスピンドルモータ２と、このスピンドルモータ２を駆動させる駆動部３と、光ディスク１に記録された情報を再生する再生部４と、光ディスク１に情報を記録する記録部２５と、装置全体を制御するマイクロコンピュータ２６と、再生部４から出力されたＬｃｈ（左側チャンネル）音声信号を増幅する増幅器１２と、この増幅器１２から出力されたＬｃｈ音声信号をテレビジョン受像機Ｔに伝達するカップリングコンデンサ１３と、再生部４から出力されたＲｃｈ（右側チャンネル）音声信号を増幅する増幅器１４と、この増幅器１４から出力されたＲｃｈ音声信号をテレビジョン受像機Ｔに伝達するカップリングコンデンサ１５とを備えている。また、この光ディスク記録再生装置Ｂは、携帯電話局からの携帯電波（携帯電話機へ送信されたの電波）を、アンテナ５を介して受信して復調する携帯電波復調手段としてのＲＦモジュール６とを備えている。
【００３３】
マイクロコンピュータ２６は、再生部４や記録部２５を制御するための制御信号を出力したり再生部４や記録部２５の動作状態を示す状態信号を入力したりすると共に、駆動部３を制御するための制御信号を出力したり駆動部３の動作状態を示す状態信号を入力したりし、更に、ＲＦモジュール６からの復調信号を入力するＩ／Ｏポート２７と、装置全体を制御するためのプログラムやデータが記憶されたフラッシュＲＯＭ２８と、Ｉ／Ｏポート２７からの信号を入力したりＩ／Ｏポート２７に信号を出力したりすると共に、フラッシュＲＯＭ２８に記憶されたプログラムやデータに従って演算や処理を行うＣＰＵ２９と、このＣＰＵ２９の動作に必要なデータを一時的に格納するＲＡＭ３０とを備えている。
【００３４】
ＣＰＵ２９は、受信して復調された復調信号に含まれる携帯電話番号がフラッシュＲＯＭ２８に予め設定された設定番号と同じであるか否かを判定する番号判定手段と、前記両番号が同じであると判定されたとき、前記受信した電波が所定時間受信したか否かを判定する受信時間判定手段と、前記受信した電波が所定時間受信したと判定されたとき、装置が再生モードであるか否かを判定する再生モード判定手段と、前記再生モードであると判定されたとき、再生を一時停止させる一時停止手段と、前記再生が一時停止された後、当該携帯電話番号を含む電波の受信が無くなったことを検出したときに、再生を開始させる再生開始手段との機能を有する。要するに、マイクロコンピュータ２６は、光ディスク１の情報の再生中に、所定時間、前記設定番号への電話の着信および通話が行われたときに、自動的に再生を一時停止させ、また、通話が終れば、自動的に一時停止を解除させ、再生を再開させるようにしている。
【００３５】
テレビジョン受像機Ｔは、光ディスク記録再生装置Ｂのカップリングコンデンサ１３から出力されたＬｃｈ音声信号を入力して電力増幅するＬｃｈ音声出力回路１９と、このＬｃｈ音声出力回路１９から出力されたＬｃｈ音声信号を入力して音声化するＬｃｈスピーカ２０と、光ディスク記録再生装置Ｂのカップリングコンデンサ１５から出力されたＲｃｈ音声信号を入力して電力増幅するＲｃｈ音声出力回路２１と、このＲｃｈ音声出力回路２１から出力されたＲｃｈ音声信号を入力して音声化するＲｃｈスピーカ２２と、光ディスク記録再生装置Ｂの再生部４から出力された映像信号を入力して表示用の映像信号に変換して出力する映像出力回路２３と、この映像出力回路２３から出力された映像信号を入力して映像を表示させるディスプレイ装置２４とを備えている。
【００３６】
図４は第２の実施形態の光ディスク記録再生装置において携帯電話局からの電波を受信したときの動作を説明するためのフローチャートである。このフローチャートを参照して第２の実施形態の光ディスク記録再生装置において携帯電話局からの電波を受信したときの動作について説明する。
【００３７】
光ディスク記録再生装置Ｂにおいて、ＲＦモジュール６は、アンテナ５を介して携帯電話局からの電波（携帯電波）を受信すると（ステップＢ１）、この携帯電波の高周波信号を復調し、この復調信号をマイクロコンピュータ２６へ送る。マイクロコンピュータ２６では、ＣＰＵ２９は、ＲＦモジュール６からの復調信号をＩ／Ｏポート２７を介して入力し、番号判定手段によって、復調信号に含まれる携帯電話番号を解析し、この携帯電話番号がフラッシュＲＯＭ２８に予め設定された設定番号と同じであるか否かを判定する（ステップＢ２）。
【００３８】
なお、前記設定番号とは、ユーザが所有の携帯電話機の電話番号であり、リモコンの操作により、テレビジョン受像機Ｔのディスプレイ装置２４にセットメニュー画面を表示させ、このセットアップメニュー画面の中から電話番号の登録メニューを選択し、この登録メニューに電話番号を入力することにより、フラッシュＲＯＭ２８に記憶されたものである。
【００３９】
前記両番号が同じであると判定されたとき、ＣＰＵ２９の受信時間判定手段は、前記受信した電波が所定時間（例えば５秒）受信したか否かを判定する（ステップＢ３）。この判定は、ユーザの携帯電話機にかかって来た電話が悪戯（例えば、ワン切りなど）であるかを区別するために行われる。
【００４０】
前記受信した電波が所定時間（例えば５秒）受信したと判定されたとき、ＣＰＵ２９の再生モード判定手段は、光ディスク記録再生装置Ｂが再生モードであるか否かを判定する（ステップＢ４）。前記再生モードであると判定されたとき、ＣＰＵ２９の一時停止手段は、Ｉ／Ｏポート２７を介して再生部４に一時停止信号を送り、これにより再生部４の再生動作を一時停止させる（ステップＢ５）。
【００４１】
前記再生が一時停止された後、ＣＰＵ２９の再生開始手段は、当該携帯電話番号を含む電波の受信が無くなったことを検出したときに（ステップＢ６）、Ｉ／Ｏポート２７を介して再生部４に再生開始信号を送り、これにより再生部４の再生動作を再開させ、光ディスク１の一時停止された位置から再生を開始させる（ステップＢ７）。そして、再生が終了するまでは、ステップＢ１〜Ｂ７の処理を繰り返し、再生が終了すれば（ステップＢ８）、本処理は終了する。
【００４２】
以上説明した第２の実施形態によれば、光ディスクの情報を再生中にユーザの携帯電話機に電話がかかってきた時に、再生を一時停止させることが自動的に行われるので、ユーザの携帯電話機に電話がかかってきたときのリモコンなどによる一時停止操作を行う必要がなくなり、また、通話が終れば、一時停止から再生を開始させることも自動的に行うことができ、ユーザにとっては便利になる。
【００４３】
なお、請求項１に記載の発明におけるミュート実行手段とミュート解除手段は、光ディスク記録再生装置にも適用でき、また、請求項２に記載の発明における一時停止手段と再生開始手段は、再生に関するものであるので、光ディスク再生装置にも適用できることは言うまでもない。
【産業上の利用可能性】
【００４４】
本発明は、ＤＶＤプレイヤやＤＶＤレコーダあるいはＢＤレコーダなどの光ディスク装置において利用可能であり、ユーザの携帯電話機に電話がかかってきたときに、自動的に、音声をミュートさせたり、再生を一時停止させたりすることが可能になると共に、通話が終れば、音声のミュート解除あるいは一時停止解除も自動的に行うことができるようになる。
【図面の簡単な説明】
【００４５】
【図１】本発明の第１の実施形態に係る光ディスク装置としての光ディスク再生装置の構成を示すブロック図である。
【図２】第１の実施形態の光ディスク再生装置において携帯電話局からの電波を受信したときの動作を説明するためのフローチャートである。
【図３】本発明の第２の実施形態に係る光ディスク装置としての光ディスク記録再生装置の構成を示すブロック図である。
【図４】第２の実施形態の光ディスク記録再生装置において携帯電話局からの電波を受信したときの動作を説明するためのフローチャートである。
【符号の説明】
【００４６】
Ａ    光ディスク再生装置（光ディスク装置）
Ｂ    光ディスク記録再生装置（光ディスク装置）
１    光ディスク
２ａ    回転センサ
６    ＲＦモジュール（携帯電波復調手段）
９，２８    フラッシュＲＯＭ（メモリ）
１０    ＣＰＵ（番号判定手段、受信時間判定手段、再生状態判定手段、ミュート実行手段、ミュート解除手段）
１６    ミュート回路
２９    ＣＰＵ（番号判定手段、受信時間判定手段、再生モード判定手段、再生開始手段）
【図１】
2009048721.tif 000003
【図２】
2009048721.tif 000004
【図３】
2009048721.tif 000005
【図４】
2009048721.tif 000006